(57)【特許請求の範囲】
【請求項１】
キャリア及び該キャリア内に保持される少なくとも１つの容器を備え、
そのキャリアは、
ボトムパネルと、そのボトムパネルに折り曲げ可能に接続する第１の内側サイドパネルと、その第１の内側サイドパネルに折り曲げ可能に接続する第１の外側サイドパネルと、前記ボトムパネルに折り曲げ可能に接続する第２の内側サイドパネルと、その第２の内側サイドパネルに折り曲げ可能に接続する第２の外側サイドパネルと、前記第１の外側サイドパネルに折り曲げ可能に接続する第１のトップパネルと、前記第２の外側サイドパネルに折り曲げ可能に接続する第２のトップパネルと、
少なくとも１つの容器収納機能部であって、少なくとも前記第１の内側サイドパネルに延在する第１の保持機能部と少なくとも前記第２の内側サイドパネルに延在する対向する第２の保持機能部とを備え、前記少なくとも１つの容器の頂部は前記第１の保持機能部と前記第２の保持機能部とのそれぞれによって少なくとも部分的に保持され、前記第１の保持機能部及び前記第２の保持機能部の少なくとも一方は、少なくとも１つの保持折り線に沿って、前記第１の内側サイドパネル及び前記第２の内側サイドパネルの少なくとも一方に折り曲げ可能に接続する少なくとも１つの保持フラップを備え、前記少なくとも１つの保持折り線は、前記少なくとも１つの容器の前記頂部の下側に係合する少なくとも１つの容器収納機能部と、
を備え、
前記ボトムパネルは、前記少なくとも１つの容器の前記頂部と、前記第１のトップパネルと前記第２のトップパネルとの少なくとも一方との間に少なくとも部分的に配置されるパッケージ。
【請求項２】
請求項１に記載のパッケージであって、前記第１の保持機能部は少なくとも前記第１の内側サイドパネルに第１の開口を有し、前記第２の保持機能部は少なくとも前記第２の内側サイドパネルに第２の開口を有し、前記少なくとも１つの容器の前記頂部は前記第１の開口と前記第２の開口とに少なくとも部分的に収納されるパッケージ。
【請求項３】
請求項２に記載のパッケージであって、前記第１の保持機能部は前記第１の開口に隣接する第１の保持縁を更に有し、前記第２の保持機能部は前記第２の開口に隣接する第２の保持縁を更に有し、前記第１の保持縁と前記第２の保持縁とは、前記少なくとも１つの容器の前記頂部の前記下側に係合するパッケージ。
【請求項４】
請求項３に記載のパッケージであって、前記第１の保持縁と前記第２の保持縁とのそれぞれは凸曲線を有するパッケージ。
【請求項５】
請求項２に記載のパッケージであって、前記少なくとも１つの保持フラップは、第１の保持フラップ及び第２の保持フラップを備え、前記少なくとも１つの保持折り線は、第１の保持折り線及び第２の保持折り線を備え、前記第１の保持フラップは、前記第１の開口に隣接する前記第１の保持折り線に沿って前記第１の内側サイドパネルに折り曲げ可能に接続し、前記第２の保持フラップは、前記第２の開口に隣接する前記第２の保持折り線に沿って前記第２の内側サイドパネルに折り曲げ可能に接続し、前記第１の保持折り線と前記第２の保持折り線とは、前記少なくとも１つの容器の前記頂部の前記下側に係合するパッケージ。
【請求項６】
請求項５に記載のパッケージであって、前記第１の保持フラップは、第１の中間の折り線に沿って第１の外側部分に折り曲げ可能に接続する第１の内側部分を備え、前記第２の保持フラップは、第２の中間の折り線に沿って第２の外側部分に折り曲げ可能に接続する第２の内側部分を備えるパッケージ。
【請求項７】
請求項６に記載のパッケージであって、前記第１の保持フラップは前記第１の内側サイドパネルと前記第１の外側サイドパネルとの間に少なくとも部分的に延在し、前記第２の保持フラップは前記第２の内側サイドパネルと前記第２の外側サイドパネルとの間に少なくとも部分的に延在するパッケージ。
【請求項８】
請求項６に記載のパッケージであって、前記第１の内側部分は前記第１の保持折り線から概ね下方に折り曲げられ、前記第２の内側部分は前記第２の保持折り線から概ね下方に折り曲げられるパッケージ。
【請求項９】
請求項８に記載のパッケージであって、前記第１の保持フラップは、前記第１の内側部分と前記第１の外側部分とが前記第１の中間の折り線から概ね上方に延在するように、前記第１の中間の折り線に沿って折り曲げられ、前記第２の保持フラップは、前記第２の内側部分と前記第２の外側部分とが前記第２の中間の折り線から概ね上方に延在するように、前記第２の中間の折り線に沿って折り曲げられるパッケージ。
【請求項１０】
請求項９に記載のパッケージであって、前記第１の外側部分の少なくとも一部は前記第１の外側サイドパネルの内面に係合し、前記第２の外側部分の少なくとも一部は前記第２の外側サイドパネルの内面に係合するパッケージ。
【請求項１１】
請求項５に記載のパッケージであって、前記第１の内側サイドパネルは第１の折り線に沿って前記ボトムパネルに折り曲げ可能に接続し、前記第２の内側サイドパネルは第４の折り線に沿って前記ボトムパネルに折り曲げ可能に接続し、前記第１の開口は、前記ボトムパネルの第１の縁によって少なくとも部分的に画定され前記第１の折り線を分断し、前記第２の開口は、前記ボトムパネルの第２の縁によって少なくとも部分的に画定され前記第４の折り線を分断するパッケージ。
【請求項１２】
請求項１に記載のパッケージであって、前記第１の内側サイドパネルは前記ボトムパネルから前記第１の外側サイドパネルまで第１の斜めの方向に概ね下方に延在し、前記第２の内側サイドパネルは前記ボトムパネルから前記第２の外側サイドパネルまで第２の斜めの方向に概ね下方に延在するパッケージ。
【請求項１３】
請求項１に記載のパッケージであって、前記第１の内側サイドパネルは第２の折り線に沿って前記第１の外側サイドパネルに折り曲げ可能に接続し、前記第２の内側サイドパネルは第５の折り線に沿って前記第２の外側サイドパネルに折り曲げ可能に接続し、前記第２の折り線は、前記第１の保持機能部と位置合わせされる少なくとも１つの第１の湾曲部を備え、前記第５の折り線は、前記第２の保持機能部と位置合わせされる少なくとも１つの第２の湾曲部を備えるパッケージ。
【請求項１４】
請求項１３に記載のパッケージであって、前記少なくとも１つの第１の湾曲部は、前記第１の内側サイドパネルと前記第１の外側サイドパネルとが前記第２の折り線において前記少なくとも１つの容器に向かって内方に部分的に湾曲するように内方に湾曲しており、前記少なくとも１つの第２の湾曲部は、前記第２の内側サイドパネルと前記第２の外側サイドパネルとが前記第５の折り線において前記少なくとも１つの容器に向かって内方に部分的に湾曲するように内方に湾曲しているパッケージ。
【請求項１５】
少なくとも１つの容器を少なくとも部分的に保持するキャリアを形成するためのブランクであって、
ボトムパネルと、そのボトムパネルに折り曲げ可能に接続する第１の内側サイドパネルと、その第１の内側サイドパネルに折り曲げ可能に接続する第１の外側サイドパネルと、前記ボトムパネルに折り曲げ可能に接続する第２の内側サイドパネルと、その第２の内側サイドパネルに折り曲げ可能に接続する第２の外側サイドパネルと、前記第１の外側サイドパネルに折り曲げ可能に接続する第１のトップパネルと、前記第２の外側サイドパネルに折り曲げ可能に接続する第２のトップパネルと、
少なくとも１つの容器収納機能部であって、少なくとも前記第１の内側サイドパネルに延在する第１の保持機能部と、少なくとも前記第２の内側サイドパネルに延在する対向する第２の保持機能部とを備え、前記第１の保持機能部と前記第２の保持機能部とは前記ブランクから形成される前記キャリアにおいて前記少なくとも１つの容器の頂部を少なくとも部分的に保持し、前記第１の保持機能部及び前記第２の保持機能部の少なくとも一方は、少なくとも１つの保持折り線に沿って、前記第１の内側サイドパネル及び前記第２の内側サイドパネルの少なくとも一方に折り曲げ可能に接続する少なくとも１つの保持フラップを備え、前記少なくとも１つの保持折り線は、前記キャリアが前記ブランクから形成される際に、前記少なくとも１つの容器の前記頂部の下側に係合する、少なくとも１つの容器収納機能部と、
を備え、
前記キャリアが前記ブランクから形成されると、前記ボトムパネルは、前記少なくとも１つの容器の前記頂部と、前記第１のトップパネルと前記第２のトップパネルとのうちの少なくとも一方との間に少なくとも部分的に配置されるブランク。
【請求項１６】
請求項１５に記載のブランクであって、前記少なくとも１つの保持フラップは、前記ブランクから形成される前記キャリアの少なくとも前記第１の内側サイドパネルにおいて第１の開口を形成する第１の保持フラップ、及び前記ブランクから形成される前記キャリアの少なくとも前記第２の内側サイドパネルにおいて第２の開口を形成する第２の保持フラップを備えるブランク。
【請求項１７】
請求項１６に記載のブランクであって、前記少なくとも１つの保持折り線は、第１の保持折り線及び第２の保持折り線を備え、前記第１の保持フラップは、前記第１の開口に隣接する前記第１の保持折り線に沿って前記第１の内側サイドパネルに折り曲げ可能に接続し、前記第２の保持フラップは、前記第２の開口に隣接する前記第２の保持折り線に沿って前記第２の内側サイドパネルに折り曲げ可能に接続し、前記第１の保持折り線と前記第２の保持折り線とは、前記ブランクから形成される前記キャリアにおいてそれぞれの保持縁を形成するブランク。
【請求項１８】
請求項１７に記載のブランクであって、前記第１の保持折り線と前記第２の保持折り線とのそれぞれは凸曲線を有するブランク。
【請求項１９】
請求項１７に記載のブランクであって、前記第１の保持フラップは、第１の中間の折り線に沿って第１の外側部分に折り曲げ可能に接続する第１の内側部分を備え、前記第２の保持フラップは、第２の中間の折り線に沿って第２の外側部分に折り曲げ可能に接続する第２の内側部分を備えるブランク。
【請求項２０】
請求項１９に記載のブランクであって、前記キャリアが前記ブランクから形成されると、前記第１の保持フラップは前記第１の内側サイドパネルと前記第１の外側サイドパネルとの間に少なくとも部分的に延在し、前記キャリアが前記ブランクから形成されると、前記第２の保持フラップは前記第２の内側サイドパネルと前記第２の外側サイドパネルとの間に少なくとも部分的に延在するブランク。
【請求項２１】
請求項２０に記載のブランクであって、前記キャリアが前記ブランクから形成されると、前記第１の内側部分と前記第１の外側部分とが前記第１の中間の折り線から上方に延在するように、前記第１の保持フラップは前記第１の中間の折り線に沿って折り曲げられ、前記キャリアが前記ブランクから形成されると、前記第２の内側部分と前記第２の外側部分とが前記第２の中間の折り線から上方に延在するように、前記第２の保持フラップは前記第２の中間の折り線に沿って折り曲げられるブランク。
【請求項２２】
請求項１７に記載のブランクであって、前記第１の内側サイドパネルは第１の折り線に沿って前記ボトムパネルに折り曲げ可能に接続し、前記第２の内側サイドパネルは第４の折り線に沿って前記ボトムパネルに折り曲げ可能に接続し、前記第１の保持フラップは、前記第１の内側サイドパネルと前記ボトムパネルとで延在する第１の切れ目線によって少なくとも部分的に画定され、前記第２の保持フラップは、前記第２の内側サイドパネルと前記ボトムパネルとで延在する第２の切れ目線によって少なくとも部分的に画定されるブランク。
【請求項２３】
請求項１５に記載のブランクであって、前記キャリアが前記ブランクから形成されると、前記第１の内側サイドパネルは前記ボトムパネルから前記第１の外側サイドパネルまで第１の斜めの方向に概ね下方に延在し、前記キャリアが前記ブランクから形成されると、前記第２の内側サイドパネルは前記ボトムパネルから前記第２の外側サイドパネルまで第２の斜めの方向に概ね下方に延在するブランク。
【請求項２４】
請求項１５に記載のブランクであって、前記第１の内側サイドパネルは第２の折り線に沿って前記第１の外側サイドパネルに折り曲げ可能に接続し、前記第２の内側サイドパネルは第５の折り線に沿って前記第２の外側サイドパネルに折り曲げ可能に接続し、前記第２の折り線は、前記第１の保持機能部に位置合わせされる少なくとも１つの第１の湾曲部を備え、前記第５の折り線は、前記第２の保持機能部と位置合わせされる少なくとも１つの第２の湾曲部を備えるブランク。
【請求項２５】
請求項２４に記載のブランクであって、前記キャリアが前記ブランクから形成されると、前記第１の内側サイドパネルと前記第１の外側サイドパネルとが前記第２の折り線において内方に部分的に湾曲するように、前記少なくとも１つの第１の湾曲部は前記トップパネルに向かって湾曲しており、前記キャリアが前記ブランクから形成されると、前記第２の内側サイドパネルと前記第２の外側サイドパネルとが前記第５の折り線において内方に部分的に湾曲するように、前記少なくとも１つの第２の湾曲部は前記トップパネルに向かって湾曲しているブランク。
【請求項２６】
ボトムパネルと、そのボトムパネルに折り曲げ可能に接続する第１の内側サイドパネルと、その第１の内側サイドパネルに折り曲げ可能に接続する第１の外側サイドパネルと、前記ボトムパネルに折り曲げ可能に接続する第２の内側サイドパネルと、その第２の内側サイドパネルに折り曲げ可能に接続する第２の外側サイドパネルと、前記第１の外側サイドパネルに折り曲げ可能に接続する第１のトップパネルと、前記第２の外側サイドパネルに折り曲げ可能に接続する第２のトップパネルと、少なくとも前記第１の内側サイドパネルに延在する第１の保持機能部及び少なくとも前記第２の内側サイドパネルに延在する対向する第２の保持機能部とを有する少なくとも１つの容器収納機能部とを備えるブランクを得ることであって、前記第１の保持機能部及び前記第２の保持機能部の少なくとも一方は、少なくとも１つの保持折り線に沿って、前記第１の内側サイドパネル及び前記第２の内側サイドパネルの少なくとも一方に折り曲げ可能に接続する少なくとも１つの保持フラップを備える、ブランクを得ることと、
少なくとも１つの容器の頂部が前記第１の保持機能部と前記第２の保持機能部とのそれぞれに少なくとも部分的に保持され、且つ前記少なくとも１つの保持折り線が、前記少なくとも１つの容器の前記頂部の下側に係合するように、前記第１の内側サイドパネルと前記第２の内側サイドパネルとを概ね下方に折り曲げて、前記少なくとも１つの容器を前記少なくとも１つの容器収納機能部に係合することと、
前記ボトムパネルが、前記少なくとも１つの容器の前記頂部と、前記第１のトップパネルと前記第２のトップパネルとのうちの少なくとも一方との間に少なくとも部分的に配置されるように、前記第１のトップパネルと前記第２のトップパネルとを前記ボトムパネルに重ねるように位置決めして、内部を有するキャリアを形成することと、
を含むパッケージを形成する方法。
【請求項２７】
請求項２６に記載の方法であって、前記少なくとも１つの保持フラップは、第１の保持フラップ及び第２の保持フラップを備え、前記少なくとも１つの容器を前記少なくとも１つの容器収納機能部に前記係合することは、前記第１の内側サイドパネルで第１の開口を形成するように前記第１の内側サイドパネルに対して前記第１の保持フラップを折り曲げることと、前記第２の内側サイドパネルで第２の開口を形成するように前記第２の内側サイドパネルに対して前記第２の保持フラップを折り曲げることと、前記少なくとも１つの容器の前記頂部の少なくとも一部を前記第１の開口と前記第２の開口とのそれぞれに収納することとを更に含む方法。
【請求項２８】
請求項２７に記載の方法であって、
前記少なくとも１つの保持折り線は、第１の保持折り線及び第２の保持折り線を備え、前記第１の保持フラップは前記第１の保持折り線に沿って前記第１の内側サイドパネルに折り曲げ可能に接続し、前記第２の保持フラップは前記第２の保持折り線に沿って前記第２の内側サイドパネルに折り曲げ可能に接続し、
前記第１の保持フラップを折り曲げることは、第１の保持縁を形成するように前記第１の保持折り線に沿って前記第１の保持フラップを折り曲げることを含み、
前記第２の保持フラップを折り曲げることは、第２の保持縁を形成するように前記第２の保持折り線に沿って前記第２の保持フラップを折り曲げることを含み、
前記少なくとも１つの容器を前記少なくとも１つの容器収納機能部に係合することは、前記少なくとも１つの容器収納機能部の前記第１の保持縁及び前記第２の保持縁を前記少なくとも１つの容器の前記頂部の前記下側に係合することを更に含む方法。
【請求項２９】
請求項２７に記載の方法であって、
前記第１の保持フラップは、第１の中間の折り線に沿って第１の外側部分に折り曲げ可能に接続する第１の内側部分を備え、前記第２の保持フラップは、第２の中間の折り線に沿って第２の外側部分に折り曲げ可能に接続する第２の内側部分を備え、
前記第１の保持フラップを折り曲げることは、前記第１の内側部分と前記第１の外側部分とが前記第１の中間の折り線から概ね上方に延在するように、前記第１の外側部分を前記第１の中間の折り線に沿って前記第１の内側部分に対して折り曲げることを含み、
前記第２の保持フラップを折り曲げることは、前記第２の内側部分と前記第２の外側部分とが前記第２の中間の折り線から概ね上方に延在するように、前記第２の外側部分を前記第２の中間の折り線に沿って前記第２の内側部分に対して折り曲げることを含む方法。
【請求項３０】
請求項２６に記載の方法であって、
前記第１の内側サイドパネルは第２の折り線に沿って前記第１の外側サイドパネルに折り曲げ可能に接続し、前記第２の内側サイドパネルは第５の折り線に沿って前記第２の外側サイドパネルに折り曲げ可能に接続し、前記第２の折り線は前記第１の保持機能部と位置合わせされる少なくとも１つの第１の湾曲部を備え、前記第５の折り線は前記第２の保持機能部と位置合わせされる少なくとも１つの第２の湾曲部を備え、
前記キャリアを形成することは、前記第１の内側サイドパネルと前記第１の外側サイドパネルとが前記第２の折り線において前記少なくとも１つの容器に向かって内方に部分的に湾曲するように、前記第１の外側サイドパネルを前記第２の折り線に沿って概ね上方に折り曲げることと、前記第２の内側サイドパネルと前記第２の外側サイドパネルとが前記第５の折り線において前記少なくとも１つの容器に向かって内方に部分的に湾曲するように、前記第２の外側サイドパネルを前記第５の折り線に沿って概ね上方に折り曲げることとを含む方法。
【発明の詳細な説明】
【技術分野】
【０００１】
本開示は、概して、飲料用容器、缶、又は他のタイプの物品を保持して供給するカートンに関する。本開示は、より詳細には、１つ又は複数の容器の少なくとも一部分に挟み留めるカートンに関する。
【０００２】
［関連出願の相互参照］
本願は、２０１１年８月５日付けで出願された米国仮特許出願第６１／５７４，６５４号の優先権を主張する。
【０００３】
［参照による援用］
２０１１年８月５日付けで出願された米国仮特許出願第６１／５７４，６５４号の開示は、その全体が全ての目的でここに参照されることで援用される。
【発明の概要】
【０００４】
概して、本開示の１つの態様は包括的には、少なくとも１つの容器を保持するキャリアを備えるパッケージに関する。キャリアは、ボトムパネルと、ボトムパネルに折り曲げ可能に接続されている第１の内側サイドパネルと、第１の内側サイドパネルに折り曲げ可能に接続されている第１の外側サイドパネルと、ボトムパネルに折り曲げ可能に接続されている第２の内側サイドパネルと、第２の内側サイドパネルに折り曲げ可能に接続されている第２の外側サイドパネルと、第１の外側サイドパネルに折り曲げ可能に接続されている第１のトップパネルと、第２の外側サイドパネルに折り曲げ可能に接続されている第２のトップパネルとを備えることができる。少なくとも１つの容器収納機能部が、少なくとも第１の内側サイドパネルに延在する第１の保持機能部と、少なくとも第２の内側サイドパネルに延在する対向する第２の保持機能部とを備えることができる。少なくとも１つの容器の頂部が、第１の保持機能部及び第２の保持機能部のそれぞれによって少なくとも部分的に保持されることができる。ボトムパネルは、少なくとも１つの容器の頂部と、第１のトップパネル及び第２のトップパネルのうちの少なくとも一方との間に少なくとも部分的に配置されることができる。
【０００５】
別の態様において、本開示は包括的には、少なくとも１つの容器を少なくとも部分的に保持するキャリアを形成するブランクに関する。ブランクは、ボトムパネルと、ボトムパネルに折り曲げ可能に接続されている第１の内側サイドパネルと、第１の内側サイドパネルに折り曲げ可能に接続されている第１の外側サイドパネルと、ボトムパネルに折り曲げ可能に接続されている第２の内側サイドパネルと、第２の内側サイドパネルに折り曲げ可能に接続されている第２の外側サイドパネルと、第１の外側サイドパネルに折り曲げ可能に接続されている第１のトップパネルと、第２の外側サイドパネルに折り曲げ可能に接続されている第２のトップパネルとを備える。少なくとも１つの容器収納機能部が、少なくとも第１の内側サイドパネルに延在する第１の保持機能部と、少なくとも第２の内側サイドパネルに延在する対向する第２の保持機能部とを備えることができる。第１の保持機能部及び第２の保持機能部は、ブランクから形成されるキャリアにおいて少なくとも１つの容器の頂部を少なくとも部分的に保持するものであることができる。キャリアがブランクから形成されると、ボトムパネルは、少なくとも１つの容器の頂部と、第１のトップパネル及び第２のトップパネルのうちの少なくとも一方との間に少なくとも部分的に配置されるものである。
【０００６】
別の態様において、本開示は包括的には、パッケージを形成する方法に関する。本方法は、ボトムパネル、ボトムパネルに折り曲げ可能に接続されている第１の内側サイドパネル、第１の内側サイドパネルに折り曲げ可能に接続されている第１の外側サイドパネル、ボトムパネルに折り曲げ可能に接続されている第２の内側サイドパネル、第２の内側サイドパネルに折り曲げ可能に接続されている第２の外側サイドパネル、第１の外側サイドパネルに折り曲げ可能に接続されている第１のトップパネル、第２の外側サイドパネルに折り曲げ可能に接続されている第２のトップパネル、及び、少なくとも第１の内側サイドパネルに延在する第１の保持機能部と、少なくとも第２の内側サイドパネルに延在する対向する第２の保持機能部とを有する少なくとも１つの容器収納機能部を備えるブランクを得ることを含む。本方法は、少なくとも１つの容器の頂部が第１の保持機能部及び第２の保持機能部のそれぞれに少なくとも部分的に保持されるように、第１の内側サイドパネル及び第２の内側サイドパネルを概ね下方に折り曲げることによって、少なくとも１つの容器を少なくとも１つの容器収納機能部に係合することを更に含むことができる。本方法は、ボトムパネルが、少なくとも１つの容器の頂部と、第１のトップパネル及び第２のトップパネルのうちの少なくとも一方との間に少なくとも部分的に配置されるように、第１のトップパネル及び第２のトップパネルをボトムパネルに重ねるように位置決めすることによって、内部を有するキャリアを形成することを更に含むことができる。
【０００７】
本開示の他の態様、特徴及び詳細は図面と組み合わせた以下の詳細な説明の参照によって、また添付の特許請求の範囲からより完全に理解することができる。
【０００８】
当業者は、添付図面を参照して実施形態の以下の詳細な説明を読むことによって、上記の利点並びに種々の更なる実施形態の他の利点及び利益を理解するであろう。さらに、以下で説明する図面の種々の特徴は必ずしも一定の縮尺比で描かれているとは限らない。図面における種々の特徴及び要素の寸法は本開示の実施形態をより明確に示すように拡大又は縮小されている場合がある。
【図面の簡単な説明】
【０００９】
【図１】本開示の例示的な実施形態によるキャリアを形成するのに用いられるブランクの内部平面図である。
【図２】本開示の例示的な実施形態による、複数の容器に係合する部分的に形成されたキャリアの斜視図である。
【図３】本開示の例示的な実施形態に従って更に組み立てられている、部分的に形成されたキャリアの斜視図である。
【図４】本開示の例示的な実施形態によるパッケージを形成する、組み立てられたキャリア及び容器の側面斜視図である。
【図５】図４の組み立てられたパッケージの端面斜視図である。
【図６】図４の組み立てられたパッケージの下面の斜視図である。
【発明を実施するための形態】
【００１０】
対応する部分は図面を通して対応する参照符号によって示されている。
【００１１】
本開示は、概して、カップ、ジャー、ボトル、缶等のような容器を保持して陳列するキャリア、構成物、スリーブ、カートン等、及びパッケージに関する。例えば、容器は食品及び飲料製品を包装するために用いることができる。容器は特定の食料品又は飲料品を包装するのに適した組成の材料から作ることができ、その材料は、ガラス等、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック、アルミニウム及び／又は他の金属、又はそれらの任意の組み合わせを含むが、これらに限定されない。
【００１２】
本開示によるキャリアは多数の異なる形状の容器を収容することができる。本開示の範囲を限定する目的ではなく、説明する目的から、以下の詳細な説明では、キャリアの実施形態の中に少なくとも部分的に配置される食品容器（例えば、ガラスジャー、プラスチック容器又はアルミニウム缶）について説明する。本明細書において、「下側」、「ボトム」、「上側」、「トップ／頂」、「内側」及び「外側」という用語は、完全に組み立てられたキャリア又はパッケージに関して定められる向きを示す。
【００１３】
図１は、本開示の第１の実施形態によるカートンすなわちキャリア１０５を形成するのに用いられるブランク１０３の内面１０１の平面図である。ブランク１０３は、長手方向軸Ｌ１及び横方向軸Ｌ２を有する。キャリア１０５は、図４から図６においてその組立て状態で示されている。組立状態ではキャリア１０５は容器Ｃの上側部分に取付けられ、パッケージ１０６を形成する。容器Ｃのそれぞれは、それぞれの容器収納部１０７、１０８、１０９内に少なくとも部分的に保持することができる。図示の実施形態では、容器Ｃは通常リムＲを有する頂部すなわち蓋Ｌを有するガラスジャーとして示されている。しかし本開示から逸脱することなく、他の容器をパッケージ１０６内に保持することができる。図１に示されているように、ブランク１０３は長手方向軸Ｌ１を中心に完全に又は部分的に対称的とすることができる。したがって、完全な及び／又は部分的な対称を反映するために、図面の或る特定の要素は共通又は同様の参照符号を共有している。
【００１４】
図１を参照すると、ブランク１０３は、第１の横方向折り線１１４において第１の内側サイドパネル１１２に折り曲げ可能に接続されているボトムパネル１１０と、第２の横方向折り線１１８において第１の内側サイドパネル１１２に折り曲げ可能に接続されている第１の外側サイドパネル１１６と、第３の横方向折り線１２２において第１の外側サイドパネル１１６に折り曲げ可能に接続されている第１のトップパネル１２０と、第４の横方向折り線１２６においてボトムパネル１１０に折り曲げ可能に接続されている第２の内側サイドパネル１２４と、第５の横方向折り線１３０において第２の内側サイドパネル１２４に折り曲げ可能に接続されている第２の外側サイドパネル１２８と、第６の横方向折り線１３４において第２の外側サイドパネル１２８に折り曲げ可能に接続されている第２のトップパネル１３２とを備える。
【００１５】
図示の実施形態では容器収納部１０７、１０８、１０９が単一列に構成されている。それぞれの容器収納部１０７、１０８、１０９は、組み立てられたキャリア１０５内に保持されることになる容器Ｃのうちの１つの少なくとも蓋Ｌを収納するような形状及びサイズになっている。例示的な実施形態では、３つの容器Ｃは組み立てられたキャリア１０５に収容されて、１×３構成のパッケージ１０６を形成している。３つよりも多い又は少ない容器を保持する、１×２、１×４、２×２等のような他のパッケージ構成も本開示の範囲内にある。
【００１６】
図１に示されているように、各容器収納部１０７、１０８、１０９は、第１の内側サイドパネル１１２に延在する第１の保持機能部１３６と、第２の内側サイドパネル１２４に延在する第２の保持機能部１４０とを備える。第１の保持機能部１３６及び第２の保持機能部１４０はそれぞれが、それぞれの保持折り線１４８、１５０に沿ってそれぞれの内側サイドパネル１１２、１２４に折り曲げ可能に接続されているそれぞれの保持フラップ１４４、１４６を備える。保持折り線１４８、１５０は、組み立てられたキャリアにおいて保持フラップ１４４、１４６によって形成される開口内へ突出する、それぞれの湾曲した保持縁を形成するように曲線状とすることができる。保持フラップ１４４、１４６は、それぞれの概ねＵ字型の引き裂き線すなわち切れ目線１５２、１５４によって更に画定することができる。１つの実施形態において、概ねＵ字型の切れ目線１５２、１５４は、それぞれの保持フラップ１４４、１４６がボトムパネル１１０内で延在するように、それぞれの横方向折り線１１４、１２６を分断してボトムパネル１１０内で延在することができる。中間の横方向折り線１５６が、各保持フラップ１４４のそれぞれの内側部分１５８及び外側部分１６０を形成するように、保持フラップ１４４のそれぞれで延在する。同様に、中間の横方向折り線１６２が、各保持フラップ１４６のそれぞれの内側部分１６４及び外側部分１６６を形成するように、保持フラップ１４６のそれぞれで延在する。代替的には、容器収納部１０７、１０８、１０９は、本開示から逸脱することなく省略又は別様に形状付け、構成、位置決め、及び／又は設計することができる。
【００１７】
図１に示されているように、第２の横方向折り線１１８及び第５の横方向折り線１３０のそれぞれは、それぞれの第１の外側サイドパネル１１６及び第２の外側サイドパネル１２８内に湾曲している、１つ又は複数のそれぞれの弧状部分１７２、１７４を備えることができる。横方向折り線１１８、１３０は、ボトムパネル１１０に向かって内方に湾曲するとともにそれぞれの保持機能部１３６、１４０と位置合わせされる狭窄部１７５を更に備える。横方向折り線１１８における狭窄部１７５は隣接する弧状部分１７２の端と交わる場所に形成され、横方向折り線１３０における狭窄部１７５は隣接する弧状部分１７４の端と交わる場所に形成される。キャリア１０５において、弧状部分１７２、１７４及び狭窄部１７５は、それぞれの折り線１１８、１３０においてそれぞれの湾曲縁１７６、１７８（図６）を形成する。第１の内側サイドパネル１１２及び第２の内側サイドパネル１２４、並びに第１の外側サイドパネル１１６及び第２の外側サイドパネル１２８は、狭窄部１７５においてキャリア１０５の内方に湾曲して、それぞれの保持機能部１３６、１４０を補強して容器Ｃを容器収納部１０７、１０８、１０９内に保持するのを助ける。
【００１８】
図示の実施形態では、第１のトップパネル１２０及び第２のトップパネル１３２は糊エリア１８０を内面１０１に備えることができる。代替的には、又は加えて、ボトムパネル１１０が１つ又は複数の糊エリアを含むことができる（図３）。糊エリア１８０は本開示から逸脱することなく省略又は別様に形状付け、構成、位置決め、及び／又は設計することができる。代替的な実施形態において、トップパネル１２０、１３２は、これらのトップパネルを相互係止させる係止機能部を含むことができる。例えば、第１のトップパネル１２０は、第２のトップパネル１３２におけるそれぞれの主係止開口及び副係止開口に係合する主係止タブ及び副係止タブを備えることができる。係止機能部は本開示から逸脱することなく別様に設計することができる。更なる代替的な実施形態において、ボトムパネル１１０は、第１のトップパネル１２０及び／又は第２のトップパネル１３２における係止機能部（例えば、係止開口又は係止タブ）と相互係止する係止機能部（例えば、係止タブ又は係止開口）を含むことができる。
【００１９】
パッケージ１０６を形成するようにキャリア１０５を組み立てる例示的な方法が図２及び図３を参照しながら以下で論じられる。図２に示されているように、保持フラップ１４４、１４６は、それぞれの内側サイドパネル１１２、１２４に開口１８２、１８４を形成するように、それぞれの曲線状の保持折り線１４８、１５０に沿って内方に折り曲げられる。１つの実施形態において、ボトムパネルの縁が開口１８２、１８４のそれぞれに隣接して延在し、開口１８２、１８４はそれぞれの横方向折り線１１４、１２６を分断する。保持フラップ１４４、１４６が折り曲げられると、曲線状の保持折り線１４８、１５０はそれぞれの湾曲した保持縁１８６、１８８（図２、図３、及び図６）を形成する。図示の実施形態では、湾曲した保持縁１８６、１８８はそれぞれの開口１８２、１８４内へ突出する凸曲線を形成する。図２に示されているように、ブランク３は内面１０１が上方に面している状態で、蓋Ｌのそれぞれがそれぞれの容器収納部１０７、１０８、１０９と位置合わせされ、内側サイドパネル１１２、１２４がそれぞれの横方向折り線１１４、１２６に沿って概ね下方に折り曲げられるように容器Ｃの上に配置される。したがって、蓋Ｌのそれぞれの蓋の２つの対向する半径方向外側の部分のそれぞれが、開口１８２、１８４のうちのそれぞれの開口を通って延在するか又はその開口内に収納される。ボトムパネル１１０は蓋Ｌの頂面にわたって延在して蓋Ｌの頂面と接触する。湾曲した保持縁１８６、１８８は、保持縁１８６、１８８が蓋Ｌの内部へ突出するように、各容器Ｃの両側にある蓋Ｌの底部のリムＲの下に挿入される。したがって、湾曲した保持縁１８６、１８８はそれぞれのリムＲの内部に係合することができる。図示の実施形態では、湾曲した保持縁１８６、１８８は、それぞれの開口１８２、１８４においてリムＲの密接した嵌合をもたらす距離だけトップパネルから離間されている。したがって、容器Ｃの頂部の蓋Ｌは、それぞれの容器収納部１０７、１０８、１０９によって保持される。
【００２０】
図２、図３、及び図５に示されているように、保持フラップ１４４、１４６はそれぞれの横方向折り線１５６、１６２に沿って折り曲げられ、ボトムパネル１１０及び／又は第１のトップパネル１２０及び第２のトップパネル１３２の内部側面１０１に（例えば、糊エリア１８０において）糊を塗布することができる。第１の外側サイドパネル１１６及び第２の外側サイドパネル１２８は湾曲縁１７６、１７８を形成するようにそれぞれの横方向折り線１１８、１３０に沿って概ね上方に折り曲げることができ、第１のトップパネル１２０及び第２のトップパネル１３２はボトムパネル１１０に重なるようにそれぞれの横方向折り線１２２、１３４に沿って折り曲げることができる。したがって、トップパネル１２０、１３２は、ボトムパネルが蓋Ｌの頂面と第１のトップパネル及び第２のトップパネルとの間に配置されるように、ボトムパネル１１０と面同士で接触して糊付けされる。トップパネル１２０、１３２の横方向に延在する縁は、互いに対して近接して又は当接して配置されることができる。代替的には、トップパネル１２０、１３２のうちの一方が他方に対して少なくとも部分的に重なることができる。代替的な実施形態において、キャリア１０５は任意の好適な閉鎖機能部によって閉鎖することができる。例えば、トップパネル１２０、１３２及びボトムパネル１１０のいずれかが係止機能部を備えることができる。したがって、トップパネル１２０、１３２をボトムパネル１１０に糊付けする代わりに、又はそれに加えて、トップパネル１２０、１３２を互いに及び／又はボトムパネル１１０と相互係止させることができる。
【００２１】
外側サイドパネル１１６、１２８が上方に折り曲げられると、それぞれの保持フラップ１４４、１４６の外側部分１６０、１６６は、上方に（例えば、外側サイドパネル１１６、１２８の内面と接触させることによって）折り曲げられ、保持フラップ１４４、１４６のそれぞれの折り線１５６、１６２からそれぞれの自由縁まで概ね上方に延在することができる（図２及び図５）。それぞれの保持フラップ１４４、１４６の内側部分１５８、１６４は、それぞれの第１の内側サイドパネル１１２及び第２の内側サイドパネル１２４に沿ってそれぞれの湾曲した保持縁１８６、１８８からそれぞれの中間の横方向折り線１５６、１６２まで概ね下方に延在することができる。代替的には、ブランク１０３を横方向折り線１１４、１１８、１２２、１２６、１３０、１３４のうちのいずれか又は全てに沿って折り曲げる前に、保持フラップ１４４、１４６をそれぞれの曲線状の保持折り線１４８、１５０及び／又はそれぞれの中間の横方向折り線１５６、１６２に沿って折り曲げることができる。図２及び図５に示されているように、保持フラップ１４４は第１の内側サイドパネル１１２と第１の外側サイドパネル１１６との間に少なくとも部分的に延在し、第１の内側部分１５８及び第１の外側部分１６０はそれぞれの中間の横方向折り線１５６から概ね上方に延在する。同様に、保持フラップ１４６は第２の内側サイドパネル１２４と第２の外側サイドパネル１２８との間に少なくとも部分的に延在し、第２の内側部分１６４及び第２の外側部分１６６はそれぞれの中間の横方向折り線１６２から概ね上方に延在する。１つの実施形態において、それぞれの保持フラップ１４４、１４６の外側部分１６０、１６６は、完全に組み立てられたキャリア１０５においてそれぞれの外側サイドパネル１１６、１２８の内面と接触することができる。
【００２２】
したがって、図示の実施形態では、容器ＣはリムＲにおいて保持機能部１３６、１４０によって支持又は保持される。少なくとも、リムＲの下に係合する湾曲した保持縁１８６、１８８が、容器Ｃのうちの１つ又は複数をキャリア１０５から離すように引っ張る傾向があるいかなる力にも抗する。内側サイドパネル１１２、１２４はそれぞれの湾曲した保持縁１８６、１８８においてリムＲを支持し、保持フラップ１４４、１４６はそれぞれの内側サイドパネル１１２、１２４を補強することができる。加えて、図６に示されているように、湾曲縁１７６の狭窄部１７５は内側サイドパネル１１２及び外側サイドパネル１１６を保持機能部１３６において内方に湾曲させることができる。湾曲縁１７８における狭窄部１７５も同様に設計される。したがって、湾曲縁１７６、１７８の狭窄部１７５は、容器収納部１０７、１０８、１０９内に容器Ｃを更に保持するのを助ける。例えば、１つの実施形態において、狭窄部１７５は、内側サイドパネル１１２、１２４及び外側サイドパネル１１６、１２８を、容器Ｃに当接する保持機能部１３６、１４０において内方に促し、それによって、保持縁１８６、１８８を容器のリムＲの下へ促すのを助けることができる。
【００２３】
代替的な実施形態において、キャリア１０５は本開示から逸脱することなく別様に構成又は組み立てることができる。
【００２４】
キャリア１０５が容器Ｃの頂部をそれぞれの容器収納部１０７、１０８、１０９内に保持する、組み立てられたパッケージ１０６が図４から図６に示されている。図示の実施形態では、キャリア１０５は端が開放され、内側サイドパネル１１２、１２４はボトムパネル１１０から概ね斜めの方向に延在することができる。外側サイドパネル１１６、１２８はそれぞれのトップパネル１２０、１３２から概ね垂直方向に延在することができる。代替的な実施形態において、１つ又は複数の端部パネルを、ボトムパネル１１０、サイドパネル１１２、１１６、１２４、１２８、及びトップパネル１２０、１３２のうちの１つ又は複数に折り曲げ可能に接続することができる。
【００２５】
概して、ブランクは、通常の紙よりも重く硬質であるような厚みのある板紙で作成してもよい。ブランクは、ボール紙等の他の材料、又はカートンが少なくとも概ね上述のように機能することができるようにするのに適した特性を有する任意の他の材料で作成することもできる。ブランクは、例えばクレーコーティングでコーティングすることができる。次いで、クレーコート上に製品、広告、及び他の情報又は画像を印刷することができる。次いで、ブランクに印刷されている情報を保護するように、ブランクをワニスでコーティングすることができる。ブランクの片面又は両面を、例えば防湿層でコーティングすることもできる。ブランクは、選択されたパネル又はパネルセクションに１つ又は複数のシート状材料を積層又はコーティングすることもできる。
【００２６】
一例として、引き裂き線は、所望の弱化線に沿って材料に部分的に入れ込んだスリット、及び／又は所望の弱化線に沿って材料に部分的に入れ込むか、及び／又は完全に貫通する一連の離間したスリット、又はこれらの機能部の種々の組み合わせを含むことができる。より具体的な例としては、１つのタイプの引き裂き線は、引き裂き線を挟んで材料を通常は一時的に接続するようにニック（例えば、ブリッジにやや似た材料の小片）が間に画定されるように隣接するスリットを僅かに離間させた、材料を完全に貫通する一連の離間したスリットの形態である。ニックは引き裂き時に引き裂き線に沿って破断される。ニックは通常、引き裂き線において比較的僅かな割合を占めるものであり、代替的に、引き裂き線が連続した切れ目線であるように、ニックを引き裂き線から省くことができるか、又は引き裂き線上で破っておくことができる。すなわち、引き裂き線のそれぞれを連続したスリット等で置き換えることは、本開示の範囲内にある。例えば、本開示から逸脱することなく、切れ目線は、連続したスリットとすることができるか、又はスリットよりも幅広とすることができる。
【００２７】
例示的な実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分すなわち凹部分を作る鈍いスコアリングナイフ等で形成される線等のスコア線、所望の弱化線に沿って材料に部分的に入れ込んだ切れ目、及び／又は所望の弱化線に沿って材料を部分的に貫通する一連の切れ目及び／又は材料を完全に貫通する一連の切れ目、並びにこれらの機能部の種々の組み合わせを含む。切れ目付けを用いて折り線が作られる状況では、通常、切れ目付けは、賢明なユーザーでも誤って折り線を引き裂き線とみなす可能性があるほど大きすぎないものとする。
【００２８】
上記実施形態は、カートンの実施形態を組み立てる間に糊によって互いに接着される１つ又は複数のパネルを有するものとして説明することができる。「糊」という用語は、カートンパネルを適所に固定するのに一般的に用いられる全ての態様の接着剤を包含することが意図される。
【００２９】
本開示の前述の説明は、種々の例示的な実施形態を例示及び説明するものである。本開示の趣旨及び範囲から逸脱することなく、種々の追加、変更、変形等を例示的な実施形態に対して行うことができる。上記説明に含まれるか又は添付図面に示されている全ての事項が、限定的な意味ではなく例示として解釈されることが意図される。加えて、本開示は、本開示の選択された実施形態のみを図示及び説明しているが、本開示は、種々の他の組み合わせ、変更形態、及び環境で用いることが可能であり、本明細書で述べられているような発明概念の範囲内の変形若しくは変更、上記教示と同等の変形若しくは変更、及び／又は関連技術分野の技術若しくは知識内にある変形若しくは変更を行うことが可能である。さらに、各実施形態の或る特定の機能部及び特徴を、選択的に入れ替えて、本開示の他の説明された実施形態及び説明されていない実施形態に適用することができる。
【図１】
0005908079.tif 000002
【図２】
0005908079.tif 000003
【図３】
0005908079.tif 000004
【図４】
0005908079.tif 000005
【図５】
0005908079.tif 000006
【図６】
0005908079.tif 000007